(57)【特許請求の範囲】
【請求項１】
衣類等にアイロン掛けを行うために用いるアイロン台において、
下方に空間を設けた状態に支持されるアイロン台ベースを備えて成り、
前記アイロン台ベースは、
第１鋭角と、これに対向する第２鋭角と、第１鈍角と、これに対向する第２鈍角の角度が、それぞれ異なる四角形の各辺に沿って平面視で内接するとともに、前記各内接した部位の間を曲線状に結んだ形状の外周縁部と、該外周縁部に囲まれたアイロン作用面とを有することを特徴とするアイロン台。
【請求項２】
前記アイロン台ベースを象る前記四角形は、
第１横辺と、該第１横辺に対向する第２横辺と、前記第１横辺と前記第１鋭角で交差し前記第２横辺と前記第１鈍角で交差する第１縦辺と、前記第２横辺と前記第２鋭角で交差し前記第１横辺と前記第２鈍角で交差する第２縦辺と、を有し、
前記第１横辺と前記第２横辺とはほぼ平行であり、
前記第１鋭角は６０度、前記第２鋭角は７５度、前記第１鈍角は１２０度、前記第２鈍角は１０５度であることを特徴とする請求項１に記載のアイロン台。
【請求項３】
前記アイロン作用面は、前記第１鋭角に沿って形成される第１鋭角部位と、前記第２鋭角に沿って形成される第２鋭角部位とを結ぶ部位が最大高さとなる上方に湾曲した断面形状であることを特徴とする請求項１または２に記載のアイロン台。
【請求項４】
前記アイロン台ベースは、前記アイロン作用面に数多の突起部を形成した中空の樹脂成形品であり、前記突起部の上にシート状で可撓性を有する材料を敷設したことを特徴とする請求項１乃至３のいずれか１項に記載のアイロン台。
【請求項５】
前記アイロン台ベースを下方に空間を設けた状態に支持する脚体を備えて成り、
前記脚体は、前記アイロン台ベースに対して前記アイロン作用面の背面側に固定されたことを特徴とする請求項１乃至４のいずれか１項に記載のアイロン台。
【請求項６】
前記脚体は、前記第１横辺または前記第２横辺とほぼ平行な一対の足部を備え、前記足部は前記アイロン台ベースとの間の重心点が内側になる位置に設けられ、前記足部と、前記第１横辺または前記第２横辺に内接する外周縁部とにより、前記アイロン作用面を水平面に対して起き上がった状態に自立可能であることを特徴とする請求項５に記載のアイロン台。
【発明の詳細な説明】
【技術分野】
【０００１】
本発明はアイロン台に係り、通常の使用に加えて、例えば衣類等の立体裁断部分へのアイロン仕上げ作業を容易に行えるアイロン台に関する。
【背景技術】
【０００２】
アイロン台は、ワイシャツ、シーツ他、種々の衣類等にアイロン掛けを行うために用いられる。衣類等のうち上着類には、肩部のような形状部や、袖口のような袋状部分が設けられている。また、ズボンには、腰部や筒状部分が設けられている。
【０００３】
通常、衣類の肩部や腰部は、人体の曲面に極力沿うように立体裁断されている。このため、平面状のアイロン作用面を有するアイロン台を用いてアイロン掛けを行うと、立体裁断部分の形状を損ねてしまう。
【０００４】
そこで、特許文献１に示すように、作業台上にアイロン台を置いた状態で使用することで、立体裁断部分へのアイロン掛けを容易に行えるように構成されたアイロン台が提案されている。かかるアイロン台では、中空の樹脂製とするとともにアイロン作用面に無数の突起を形成しておき、十分に蒸気を衣類等に浸透させて仕上がりを向上させることも工夫されている。
【０００５】
さらに、特許文献２に示すように、アイロン作用面の背面に脚体を固定しておき、脚体を机上または床面上に置いた状態で、帽子または女性用下着等の立体裁断部分の一部を、机上または床面上と脚体の間の空間に挿入して、アイロン作用面上でアイロン掛けを可能にするアイロン台も提案されている。
【先行技術文献】
【特許文献】
【０００６】
【特許文献１】実用新案登録第２６０２８０６号公報
【特許文献２】実開平２−１１００号公報
【発明の概要】
【発明が解決しようとする課題】
【０００７】
しかしながら、前述した各特許文献に記載のアイロン台によれば、いずれもアイロン作用面の立体裁断に沿う形状部分は最大でも２箇所であることから、使用方法が限定されてしまうという問題点があった。
【０００８】
したがって、本発明は前述した問題点に鑑みてなされたものであり、通常使用のための平面状のアイロン作用面に加えて、例えば立体裁断に沿う形状部分を４箇所とすることで、より汎用性の高いアイロン台の提供を目的としている。
【０００９】
また、前述した目的に加えて、アイロンの操作力が低減され、十分にアイロンの蒸気を衣類に浸透できるとともに、軽量化により使い勝手を大幅に向上することのできるアイロン台の提供を目的としている。
【課題を解決するための手段】
【００１０】
前述した目的を達成するための本発明の要旨とするところは、以下の各項の発明に存する。  
［１］衣類等にアイロン掛けを行うために用いるアイロン台（１）において、
下方に空間を設けた状態に支持されるアイロン台ベース（１０）を備えて成り、
前記アイロン台ベース（１０）は、
第１鋭角（α１）と、これに対向する第２鋭角（α２）と、第１鈍角（β１）と、これに対向する第２鈍角（β２）の角度が、それぞれ異なる四角形の各辺に沿って平面視で内接するとともに、前記各内接した部位の間を曲線状に結んだ形状の外周縁部（１１）と、該外周縁部（１１）に囲まれたアイロン作用面（１２）とを有することを特徴とするアイロン台（１）。
【００１１】
［２］前記アイロン台ベース（１０）を象る前記四角形は、
第１横辺（ａ１）と、該第１横辺（ａ１）に対向する第２横辺（ａ２）と、前記第１横辺（ａ１）と前記第１鋭角（α１）で交差し前記第２横辺（ａ２）と前記第１鈍角（β１）で交差する第１縦辺（ｂ１）と、前記第２横辺（ａ２）と前記第２鋭角（α２）で交差し前記第１横辺（ａ１）と前記第２鈍角（β２）で交差する第２縦辺（ｂ２）と、を有し、
前記第１横辺（ａ１）と前記第２横辺（ａ２）とはほぼ平行であり、
前記第１鋭角（α１）は６０度、前記第２鋭角（α２）は７５度、前記第１鈍角（β１）は１２０度、前記第２鈍角（β２）は１０５度であることを特徴とする［１］に記載のアイロン台（１）。
【００１２】
［３］前記アイロン作用面（１２）は、前記第１鋭角（α１）に沿って形成される第１鋭角部位（１２α１）と、前記第２鋭角（α２）に沿って形成される第２鋭角部位（１２α２）とを結ぶ部位が最大高さとなる上方に湾曲した断面形状であることを特徴とする［１］または［２］に記載のアイロン台（１）。
【００１３】
［４］前記アイロン台ベース（１０）は、前記アイロン作用面（１２）に数多の突起部（１３）を形成した中空の樹脂成形品であり、前記突起部（１３）の上にシート状で可撓性を有する材料（１４，１５）を敷設したことを特徴とする［１］乃至［３］のいずれか１項に記載のアイロン台（１）。
【００１４】
［５］前記アイロン台ベース（１０）を下方に空間を設けた状態に支持する脚体（２０）を備えて成り、
前記脚体（２０）は、前記アイロン台ベース（１０）に対して前記アイロン作用面（１２）の背面側に固定されたことを特徴とする［１］乃至［４］のいずれか１項に記載のアイロン台（１）。
【００１５】
［６］前記脚体（２０）は、前記第１横辺（ａ１）または前記第２横辺（ａ２）とほぼ平行な一対の足部（２１）を備え、前記足部（２１）は前記アイロン台ベース（１０）との間の重心点が内側になる位置に設けられ、前記足部（２１）と、前記第１横辺（ａ１）または前記第２横辺（ａ２）に内接する外周縁部（１１）とにより、前記アイロン作用面（１２）を水平面に対して起き上がった状態に自立可能であることを特徴とする［５］に記載のアイロン台（１）。
【００１６】
前記本発明は次のように作用する。  
前記［１］に記載のアイロン台（１）によれば、アイロン台ベース（１０）は、これ自体に備えられた脚体（２０）あるいは支柱や壁面等に片持ち状態で固定されることにより、作業台等の机上または床面上にて下方に空間を設けた状態に支持される。これにより、アイロン台ベース（１０）の下方の空間に衣類等の一部を挿入した状態でのアイロン掛けが従来同様に可能となる。
【００１７】
しかも、アイロン台ベース（１０）は、第１鋭角（α１）と、これに対向する第２鋭角（α２）と、第１鈍角（β１）と、これに対向する第２鈍角（β２）の角度が、それぞれ異なる四角形の各辺に沿って平面視で内接するとともに、前記各内接した部位の間を曲線状に結んだ形状の外周縁部（１１）と、該外周縁部（１１）に囲まれたアイロン作用面（１２）とを有する。
【００１８】
これにより、通常の使用のための平面状のアイロン作用面（１２）に加えて、外周縁部（１１）における四隅の互いに異なる角度の形状部分を備えることにより、例えば、衣類の肩部のような形状部や、袖口のような袋状部分、あるいは立体裁断部等の形状にも、それぞれ前記異なる角度の形状部分を適宜対応させることで、より簡単にアイロン掛けを行うことができる。
【００１９】
前記アイロン台ベース（１０）を象る前記四角形としては、具体的には例えば前記［２］に記載したように、第１横辺（ａ１）と第１縦辺（ｂ１）の成す第１鋭角（α１）を６０度、第２横辺（ａ２）と第２縦辺（ｂ２）の成す第２鋭角（α２）を７５度、第１縦辺（ｂ１）と第２横辺（ａ２）の成す第１鈍角（β１）を１２０度、第１横辺（ａ１）と第２縦辺（ｂ２）の成す第２鈍角（β２）を１０５度に設定すれば、様々な形状の衣類に幅広く対応することができ、いっそう汎用性の高いアイロン台（１）を提供できる。
【００２０】
また、前記［３］に記載のアイロン台（１）は、前記アイロン作用面（１２）が、前記第１鋭角（α１）に沿って形成される第１鋭角部位（１２α１）と、前記第２鋭角（α２）に沿って形成される第２鋭角部位（１２α２）とを結ぶ部位が最大高さとなる上方に湾曲した断面形状である。このように湾曲した断面形状とすることで、断面二次係数を大きくできるので、アイロン掛けの際のアイロン台（１）自体の耐久力を向上させることができる。
【００２１】
しかも、前記アイロン作用面（１２）の最大高さとなる部位より手前側にアイロン掛けする際に、アイロン作用面（１２）に沿ってアイロンを下方へ滑らすことになり、また、平らなアイロン底面に対してアイロン作用面（１２）の湾曲面が線接触状態になるので、アイロンの移動時における摩擦力を低減できる。この結果、非常にスムーズなアイロン掛け作業が可能になる
【００２２】
また、前記［４］に記載のアイロン台（１）によれば、前記アイロン台ベース（１０）は、前記アイロン作用面（１２）に数多の突起部（１３）を形成した中空の樹脂成形品であり、前記突起部（１３）の上にシート状で可撓性を有する材料（１４，１５）を敷設して成る。したがって、突起部（１３）の間の空間に特にスチームアイロンの蒸気を滞留させることができ、衣類に対して十分に蒸気を浸透させることが可能となり、仕上がり状態を非常に向上できることが確認できている。
【００２３】
そして、前記突起部（１３）の上にはシート状で可撓性を有する材料（１４，１５）を敷設するが、例えば厚手の不織布を用いればよい。この場合、蒸気の水分を吸収することができる。また、結露した余分な水分は突起部（１３）の間の空間に沿って流れ落ちることになる。さらに、前記アイロン台ベース（１０）は中空の樹脂成形品であるから、例えばブロー成形により形成することで、大量かつ安価でしかも軽量なアイロン台（１）を提供することができる。
【００２４】
また、前記［５］に記載のアイロン台（１）によれば、前記アイロン台ベース（１０）を下方に空間を設けた状態に支持する脚体（２０）を備えて成り、前記脚体（２０）は、前記アイロン台ベース（１０）に対して前記アイロン作用面（１２）の背面側に固定される。これにより、アイロン台（１）は支柱や壁面等に据え付けるものでなく、自由に持ち運びが可能となり、広く一般家庭において手軽に使用することができる。
【００２５】
また、前記［６］に記載のアイロン台（１）によれば、前記脚体（２０）は、前記第１横辺（ａ１）または前記第２横辺（ａ２）とほぼ平行な一対の足部（２１）を備え、前記足部（２１）は前記アイロン台ベース（１０）との間の重心点が内側になる位置に設けられる。
【００２６】
したがって、このような簡易に構成により、特別な支持機構等を別途備えることなく、前記足部（２１）と、前記第１横辺（ａ１）または前記第２横辺（ａ２）に内接する外周縁部（１１）とにより、前記アイロン作用面（１２）を机上や床面等の水平面に対して起き上がった状態に自立可能となる。このように自立した状態でアイロン掛けを行うことも可能となり、また、狭いスペースにも容易に収納することができる。
【発明の効果】
【００２７】
本発明に係るアイロン台によれば、通常の使用に加えて、衣類の肩部のような形状部や、袖口のような袋状部分、あるいは立体裁断部等でも、簡単にアイロン掛けすることができる。また、前述した効果に加えて、アイロンの操作力を低減でき、特にスチームアイロンの蒸気を衣類等に十分浸透させることができ、かつ軽量化によって使い勝手を大幅に向上することができる。
【図面の簡単な説明】
【００２８】
【図１】本発明の第１実施の形態に係るアイロン台を示す平面図である。
【図２】本発明の第１実施の形態に係るアイロン台を矢視線とともに示す平面図である。
【図３】本発明の第１実施の形態に係るアイロン台のＸ−Ｘ’線矢視破断端面図である。
【図４】本発明の第１実施の形態に係るアイロン台のＡ−Ａ’、Ｂ−Ｂ’、Ｃ−Ｃ’、Ｄ−Ｄ’、Ｅ−Ｅ’、Ｆ−Ｆ’、Ｇ−Ｇ’線矢視破断端面図である。
【図５】本発明の第１実施の形態に係るアイロン台を分解して示す分解斜視図である。
【図６】本発明の第１実施の形態に係るアイロン台を幅方向に破断して示した要部断面図である。
【図７】本発明の第１実施の形態に係るアイロン台のアイロン台ベースの一部を示した平面図である。
【図８】本発明の第１実施の形態に係るアイロン台を作業台等の机上に置いた状態を示す正面図である。
【図９】本発明の第１実施の形態に係るアイロン台の右側面図である。
【図１０】本発明の第１実施の形態に係るアイロン台を机上に立て掛けた様子を示す右側面図である。
【図１１】本発明の第２実施の形態に係るアイロン台を示す平面図である。
【図１２】本発明の第２実施の形態に係るアイロン台を示す正面図である。
【図１３】本発明の第３実施の形態に係るアイロン台を示す平面図である。
【発明を実施するための形態】
【００２９】
以下、図面に基づき本発明を代表する各種実施の形態を説明する。  
図１〜図８は、本発明の第１実施の形態を示している。  
図１は、第１実施の形態に係るアイロン台１を示す平面図である。図２は、同アイロン台１を矢視線とともに示す平面図である。図３は、同アイロン台１のＸ−Ｘ’線矢視断面図である。図４は、同アイロン台１のＡ−Ａ’、Ｂ−Ｂ’、Ｃ−Ｃ’、Ｄ−Ｄ’、Ｅ−Ｅ’、Ｆ−Ｆ’、Ｇ−Ｇ’線矢視破断端面図である。
【００３０】
図１に示すように、アイロン台１は、これ自体に備えられた脚体２０によって作業台等の机上または床面上にて下方に空間を設けた状態に支持されるアイロン台ベース１０を備えて成る。ここでアイロン台１は必ずしも脚体２０を備える必要はなく、アイロン台ベース１０を例えば支柱や壁面等に片持ち状態で固定してもよい。
【００３１】
アイロン台ベース１０は、図１中に破線で示した異形の四角形を象るような形状に構成されている。ここで異形の四角形とは、第１鋭角α１と、これに対向する第２鋭角α２と、第１鈍角β１と、これに対向する第２鈍角β２の角度が、それぞれ異なる四角形を指す。すなわち、アイロン台ベース１０は、このような異形の四角形の各辺に沿って平面視で内接するとともに、前記各内接した部位の間を曲線状に結んだ形状の外周縁部１１と、該外周縁部１１に囲まれたアイロン作用面１２とを有する。
【００３２】
より詳しく言えば、前述した異形の四角形は、第１横辺ａ１と、この第１横辺ａ１に対向する第２横辺ａ２と、第２横辺ａ２と第１鋭角α１で交差し第１横辺ａ１と第１鈍角β１で交差する第１縦辺ｂ１と、第１横辺ａ１と第２鋭角α２で交差し第２横辺ａ２と第２鈍角β２で交差する第２縦辺ｂ２とを有している。
【００３３】
アイロン台ベース１０の外周縁部１１は、前記第１横辺ａ１に内接する第１横縁部１１ａ１と、前記第２横辺ａ２に内接する第２横縁部１１ａ２と、前記第１縦辺ｂ１に内接する第１縦縁部１１ｂ１と、前記第２縦辺ｂ２に内接する第２縦縁部１１ｂ２とから成る。ここで異形の四角形の各辺に対してアイロン台ベース１０の外周縁部１１の各縁部が内接する長さ範囲は、短くても長くてもよく適宜変更し得る設計事項である。
【００３４】
アイロン台ベース１０のアイロン作用面１２は、前記第１鋭角α１に沿って形成される第１鋭角部位１２α１と、前記第２鋭角α２に沿って形成される第２鋭角部位１２α２と、前記第１鈍角β１に沿って形成される第１鈍角部位１２β１と、前記第２鈍角β２に沿って形成される第２鈍角部位１２β２とを有している。ここでの各部位は、それぞれ角が削られたアール形状に形成されている。
【００３５】
アイロン台ベース１０の具体的な寸法に関しては、最大全長すなわち第１鋭角部位１２α１の端から第２鋭角部位１２α２の端までの全長方向の長さは約８０ｃｍであり、最大幅すなわち前記全長方向と直交する幅方向の最大の長さは約４５ｃｍに設定するとよい。また、前記第１鋭角α１は約６０度、前記第２鋭角α２は約７５度、前記第１鈍角β１は約１２０度、前記第２鈍角β２は約１０５度が適している。かかる場合に、前記第１横辺ａ１と前記第２横辺ａ２とはほぼ平行となる。
【００３６】
また、前記アイロン作用面１２は、前記第１鋭角部位１２α１と前記第２鋭角部位１２α２とを結ぶ部位が最大高さとなるように曲率Ｒ（約４５ｃｍ）で上方に湾曲した断面形状に形成されている。すなわち、図３に示すように、前記第１鋭角部位１２α１と前記第２鋭角部位１２α２とを結ぶ部位は、その全長方向に亘り同じ高さで水平に延びているが、図４に示すように、前記全長方向と直交する幅方向には、その中央が上方に向って緩やかに湾曲している。
【００３７】
図５は、第１実施の形態に係るアイロン台１を分解して示す分解斜視図である。図６は、同アイロン台１を幅方向に破断して示した要部断面図である。図７は、同アイロン台１のアイロン台ベース１０の一部を示した平面図である。前述した図３および図４では、アイロン台ベース１０の各断面を中実の構成として示したが、詳しく言えば前記アイロン台ベース１０は中空の樹脂成形品である。具体的には、所定樹脂材料から形成されるパリソンを成形金型中にセットし、加圧、加熱した後に冷却したブロー成形品として準備される。
【００３８】
図６および図７に示すように、アイロン台ベース１０の上面であるアイロン作用面１２には数多の突起部１３が形成されている。このような突起部１３も一体成形されるものであり、例えば図示したような円錐台形状のものを等間隔に密に並ぶように配置している。なお、ブロー成形品のみでは強度の確保が困難な場合でも、前述したように、アイロン作用面１２は幅方向に上方に凸状に湾曲した横断面形状であるため、十分な強度を得ることができ、さらに後述する脚体２０が補強材の役目も果すことになる。
【００３９】
図５および図６に示すように、前記アイロン作用面１２には、前記突起部１３を覆う状態でシート状の可撓性を有する材料が敷設されている。すなわち、アイロン作用面１２上には、これと同形状の不織布または１ｃｍ前後の厚手のフェルト等からなるシート状材料１４が敷設され、さらに、このシート状材料１４とアイロン台ベース１０とを覆うように、ゴム糸１５ａの袋部を形成した布製のカバー１５が設けられている。
【００４０】
また、アイロン台ベース１０に対して前記アイロン作用面１２の背面側には脚体２０が固定されている。この脚体２０は、アイロン台ベース１０を下方に空間を設けた状態で作業台等の机上または床面上に支持するものである。図１および図５に示すように、脚体２０は、前記第１横辺ａ１または前記第２横辺ａ２とほぼ平行な一対の足部２１，２１を備えて成る。各足部２１は、直径２ｃｍ前後の鉄パイプを図示のように曲げ加工し、互いの途中部位に一対の連結部材２２，２２が溶接されている。
【００４１】
詳しく言えば、各足部２１の全長方向に延びた両端部は、下向きに直角に折曲された後さらに全長方向と直角となる幅方向の外側に折曲されて、４箇所に２対となる略水平に所定長さ延びた接地部２１ａが形成されている。各接地部２１ａの端末には、鉄パイプの切断面を覆うようにゴムキャップ２３が圧入固定される。なお、脚体２０にはメッキ処理を施して見栄えを向上させるとよい。
【００４２】
このようにして、左右対称の形状に組み立てられた脚体２０は、アイロン台ベース１０の背面に一体に固定される。図５に示すように、アイロン台ベース１０の背面には、各足部２１の一部や各連結部材２２を収納する凹部１６が形成されている。この凹部１６に埋設された４箇所のインサートナット１７に対して、連結部材２２に穿設された貫通孔２２ａにセットされる４個の固定ネジ１８が螺合されて固定される。
【００４３】
図８は、完成したアイロン台１を作業台等の机Ｔ上に置いた状態を示す正面図である。図９は、同アイロン台１の右側面図である。図１０は、同アイロン台１を机Ｔ上に立て掛けた様子を示す右側面図である。図８および図９に示すように、第１実施の形態に係るアイロン台１は、机Ｔ上に置くと最大高さＨは約１２ｃｍとなる大きさに設計されているので、使用者は着座姿勢で楽にアイロン掛けを行えるようになる。
【００４４】
また、図１０に示すように、前述した脚体２０の一対の足部２１は、アイロン台ベース１０との間の重心点が内側になる位置に設けられている。すなわち、足部２１の最も外側に位置するゴムキャップ２３の配設位置は、アイロン台ベース１０との間の重心点Ｇが内側になるように設定されている。
【００４５】
したがって、アイロン台１は、前記一対の足部２１，２１のいずれか一方の両側の接地部２１ａ，２１ａ（詳しくは先端のゴムキャップ２３）と、これとほぼ平行な前記第１横辺ａ１または前記第２横辺ａ２に内接する外周縁部１１（詳しくは第１横縁部１１ａ１または第２横縁部１１ａ２）との３点支持により、アイロン作用面１２を水平面に対して起き上がった状態に自立可能である。
【００４６】
次に、第１実施の形態に係るアイロン台１の作用を説明する。  
前述したように構成されたアイロン台１によれば、図８および図９に示すように、アイロン台ベース１０は、これ自体に備えられた脚体２０によって、作業台等の机上または床面上にて下方に空間を設けた状態に支持される。
【００４７】
したがって、アイロン台ベース１０の下方の空間に衣類等の一部を挿入した状態でのアイロン掛けが従来同様に可能となる。また、アイロン台１は支柱や壁面等に据え付けられるものではなく、自由に持ち運びが可能となり、広く一般家庭において手軽に使用することができる。
【００４８】
特に、本アイロン台１のアイロン台ベース１０は、図１に示すように、第１鋭角α１と、これに対向する第２鋭角α２と、第１鈍角β１と、これに対向する第２鈍角β２の角度が、それぞれ異なる四角形の各辺に沿って平面視で内接するとともに、前記各内接した部位の間を曲線状に結んだ形状の外周縁部１１と、該外周縁部１１に囲まれたアイロン作用面１２とを有するように形成される。
【００４９】
これにより、通常の使用のための平面状のアイロン作用面１２に加えて、外周縁部１１における四隅の互いに異なる角度の形状部分を備えることにより、例えば、衣類の肩部のような形状部や、袖口のような袋状部分、あるいは立体裁断部等の形状にも、それぞれ前記異なる角度の形状部分を適宜対応させることができる。したがって、より簡単にアイロン掛けを行うことができ、様々な形状の衣類に幅広く対応することができる。
【００５０】
詳しく言えば、異形菱形とも言える四角形に縁取られたアイロン作用面１２のうち、第１鋭角α１（約６０度）に対応した第１鋭角部位１２α１と、第２鋭角α２（約７５度）に対応した第２鋭角部位１２α２のそれぞれに、衣類等の立体裁断部分をセットしてアイロン掛けを行うことができる。また、第１鈍角β１（約１２０度）に対応した第１鈍角部位１２β１と、第２鈍角β２（約１０５度）に対応した第２鈍角部位１２β２にも、大人のズボンの腰部分等をセットしてアイロン掛けを行うことができる。
【００５１】
また、図２に示すアイロン作用面１２は、図３および図４に示す断面図からも分かるように、第１鋭角部位１２α１と第２鋭角部位１２α２とを結ぶ部位が最大高さとなるように曲率Ｒ（約４５ｃｍ）で上方に湾曲した断面形状に形成されている。このように湾曲した断面形状とすることで、断面二次係数を大きくできるので、アイロン掛けの際のアイロン台１自体の耐久力を向上させることができる。
【００５２】
さらに、アイロン作用面１２の最大高さとなる部位より手前側にアイロン掛けする際に、アイロン作用面１２に沿ってアイロンを下方へ滑らすことになり、また、平らなアイロン底面に対してアイロン作用面１２の湾曲面が線接触状態になるので、アイロンの移動時における摩擦力を低減できる。この結果、非常にスムーズなアイロン掛け作業が可能になる。
【００５３】
図６に示すように、アイロン台ベース１０は、アイロン作用面１２に数多の突起部１３を形成した中空の樹脂成形品であり、前記突起部１３の上には、不織布または１ｃｍ前後の厚手のフェルト等からなるシート状材料１４を敷設し、さらに、この上を覆うように、ゴム糸の袋部１５ａを形成した布製のカバー１５を被せている。したがって、先ずはアイロン台ベース１０をブロー成形により形成することで、大量かつ安価でしかも軽量なアイロン台１を提供することができる。この結果、一般家庭における使用が実現可能となる。
【００５４】
アイロン台ベース１０のアイロン作用面１２においては、突起部１３の間の空間に特にスチームアイロンの蒸気を滞留させることができ、衣類に対して十分に蒸気を浸透させることが可能となり、仕上がり状態を非常に向上できることが確認できている。さらに、突起部１３を覆うように敷設されたシート状材料１４によって、蒸気の水分を吸収することができる。なお、結露した余分な水分は突起部１３の間の空間に沿って流れ落ちることになる。
【００５５】
しかも、図１０に示したように、脚体２０の最も外側に位置するゴムキャップ２３の配設位置は、前述したようにアイロン台ベース１０との間の重心点Ｇが内側になるので、アイロン台１をそのアイロン作用面１２が机Ｔ上の水平面に対して起き上がった状態に自立させることができる。
【００５６】
このようにアイロン台１を自立させた状態でアイロン掛けを行うことも可能となり、また、狭い机Ｔ上のスペースを有効利用できるので、アイロン掛け作業以外の別の作業を行うことができる。さらに、アイロン掛け後に家具の隙間等の狭いスペースにも、立て掛けた状態にして容易に収納することもできる。
【００５７】
図１１は、第２実施の形態に係るアイロン台１Ａを示す平面図である。図１２は、同アイロン台１Ａを示す正面図である。  
本実施の形態に係るアイロン台１Ａは、そのアイロン台ベース１０Ａの形状を、前記第１実施の形態のアイロン台ベース１０と異ならせたものである。なお、第１実施の形態と同種の部位には同一符号を付して重複した説明を省略する。
【００５８】
図１１に示すように、アイロン台ベース１０Ａは、図中に破線で示した異形の四角形を象るような形状に構成されている。ここで異形の四角形は、第１鋭角α１は約５０度、第２鋭角α２は８０度、第１鈍角β１は約１３０度、第２鈍角β２は約１００度に設定されている。
【００５９】
このように構成されたアイロン台ベース１０Ａは、前記第１実施の形態のアイロン台ベース１０と同様のブロー成形のほか、木製、金属メッシュ製とすることで、アイロン作用面１２Ａに４箇所の異なる形状部位を形成できる。これにより、通常の使用に加えて、衣類の肩部のような形状部や、袖口のような袋状部分、あるいは立体裁断部を簡単にアイロン掛けすることができる。
【００６０】
また、アイロン作用面１２Ａの背面側には、前記第１実施の形態の脚体２０とは異なる脚体２０Ａが設けられている。かかる脚体２０Ａは、２本の足部２４，２４をそれぞれの中央部同士で互いに回動可能に枢支し、一方の足部２４の上端をアイロン作用面１２Ａの背面側に回動可能に連結し、他方の足部２４の上端をアイロン作用面１２Ａの背面側に固定した受け部材（図示せず）に複数連設された係止溝に保持させるように構成したものである。
【００６１】
このような脚体２０Ａによれば、図１２に示すように、２本の足部２４がＸ字状に交差した使用状態においては、起立状態でのアイロン掛け作業を容易に行うことができるようになる。なお、図示省略したが、アイロン作用面１２Ａの背面側に沿うように折り畳まれた収納状態に適宜切り換えることができる。もちろん、脚体２０Ａの代わりに、前記第１実施の形態の脚体２０を備えるように構成しても良い。
【００６２】
図１３は、第３実施の形態に係るアイロン台１Ｂを示す平面図である。  
本実施の形態に係るアイロン台１Ｂは、そのアイロン台ベース１０Ｂの形状を、前記第１実施の形態のアイロン台ベース１０や前記第２実施の形態のアイロン台ベース１０Ａとさらに異ならせたものである。なお、アイロン作用面１２Ｂの背面側には、前記第１実施の形態の脚体２０、あるいは前記第２実施の形態の脚体２０Ａを設ければよい。
【００６３】
図１３に示すように、アイロン台ベース１０Ｂは、図中に破線で示した異形の四角形を象るような形状に構成されている。ここで異形の四角形は、第１鋭角α１は約３０度、第２鋭角α２は８０度、第１鈍角β１は約１５０度、第２鈍角β２は約１００度に設定されている。
【００６４】
このようにアイロン台ベース１０Ｂの具体的形状は、第１鋭角α１と、第２鋭角α２と、第１鈍角β１と、第２鈍角β２の角度が、それぞれ異なる四角形の各辺に沿って平面視で内接するとともに、各内接した部位の間を曲線状に結んだ形状であればよく、他にも様々な形状に構成することができる。
【００６５】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記各実施の形態に係るアイロン台１，１Ａ，１Ｂでは、アイロン台ベース１０，１０Ａ，１０Ｂ自体に脚体２０，２０Ａを設けたが、自立型の脚体２０，２０Ａを備えることなく、支柱や壁面等に片持ち状態で固定して、アイロン台ベース１０，１０Ａ，１０Ｂの下方に空間を設けた状態に支持するように構成してもよい。
【産業上の利用可能性】
【００６６】
アイロン台は、一般家庭のみならずクリーニング店等の店舗や工場等においても広く適用することができる。
【符号の説明】
【００６７】
ａ１…第１横辺
ａ２…第２横辺
ｂ１…第１縦辺
ｂ２…第２縦辺
α１…第１鋭角
α２…第２鋭角
β１…第１鈍角
β２…第２鈍角
１…アイロン台
１Ａ…アイロン台
１Ｂ…アイロン台
１０…アイロン台ベース
１０Ａ…アイロン台ベース
１０Ｂ…アイロン台ベース
１１…外周縁部
１１ａ１…第１横縁部
１１ａ２…第２横縁部
１１ｂ１…第１縦縁部
１１ｂ２…第２縦縁部
１２…アイロン作用面
１２α１…第１鋭角部位
１２α２…第２鋭角部位
１２β１…第１鈍角部位
１２β２…第２鈍角部位
１３…突起部
１４…シート状材料
１５…カバー
１６…凹部
１７…インサートナット
１８…固定ネジ
２０…脚体
２０Ａ…脚体
２１…足部
２１ａ…接地部
２２…連結部材
２２ａ…貫通孔
２３…ゴムキャップ
２４…足部
【図１】
0005128688.tif 000002
【図２】
0005128688.tif 000003
【図３】
0005128688.tif 000004
【図４】
0005128688.tif 000005
【図５】
0005128688.tif 000006
【図６】
0005128688.tif 000007
【図７】
0005128688.tif 000008
【図８】
0005128688.tif 000009
【図９】
0005128688.tif 000010
【図１０】
0005128688.tif 000011
【図１１】
0005128688.tif 000012
【図１２】
0005128688.tif 000013
【図１３】
0005128688.tif 000014